(57)【特許請求の範囲】
【請求項１】
子供用シートに内装材を脱着可能に取り付ける子供用シートの内装材の取付用ファスナにおいて、
上記ファスナは、内装材を保持し、治具を使用して回転することで子供用シートに着脱できるようにするとともに、
ファスナは、ピンと、このピンとの間で内装材を挟み持ち、子供用シートに形成された非円形の取付孔に取り付けられるグロメットとから構成されたことを特徴とする子供用シートの内装材の取付用ファスナ。
【請求項２】
治具が硬貨であることを特徴とする請求項１記載の子供用シートの内装材の取付用ファスナ。
【請求項３】
ピンは、頭部と、この頭部の表面に形成され、治具が差し込み可能な差込溝と、前記頭部の裏面中央から延び、前記内装材を貫通する軸部とを備え、
前記グロメットは、子供用シートの取付孔の内径より大径に形成され、前記ピンの頭部の裏面との間で、前記内装材を挟み持つ鍔部と、この鍔部の表面に開口し、前記ピンの軸部を挿入可能な挿入孔と、前記鍔部の裏面から延び、前記子供用シートの取付孔に挿入後、前記ピンの差込溝に差し込まれた治具で、ピンが回転された際に、ピンと一体的に回転し、前記取付孔の裏面に引っ掛かる突縁部を有する脚部とを備え、
前記ピンの軸部と、前記グロメットの挿入孔との間には、前記ピンの軸部を前記グロメットの挿入孔内に挿入することで、互いにはまり合うとともに、前記挿入孔中に軸部を回転不能に保持する凹凸部の一方が各々に形成されていることを特徴とする請求項１又は請求項２記載の子供用シートの内装材の取付用ファスナ。
【発明の詳細な説明】
【０００１】
【発明の属する技術分野】
この発明は、ベビーカーや自動車の座席に装着するチャイルドシート等の子供用シートの内装材の取付用ファスナに関するものである。
【０００２】
【従来の技術】
従来、この種のファスナとしては、子供用シートの内装材との間に、スナップ留めや面ファスナを取り付け、内装材を子供用シートから取り外して清掃できるようにしていた。
【０００３】
【発明が解決しようとする課題】
しかし、上記した従来のファスナでは、内装材の手で簡単に取り外せるため、内装材が不要に子供用シートから外れてしまうという問題点があった。
そこで、請求項１記載の発明は、上記した従来の技術の有する問題点に鑑みてなされたものであり、その目的とするところは、治具を使用して脱着を行うようにすることで、手等で不用意に内装材が子供用シートから外れてしまうのを防止しようとするものである。
【０００４】
これに加え、請求項１記載の発明は、ファスナをピンとグロメットとから構成することで、構造の比較的簡便なファスナを提供しようとするものである。
請求項２記載の発明は、上記した請求項１記載の目的に加え、次の点を目的とする。
すなわち、請求項２記載の発明は、治具として身近な硬貨を使用できるようにしたものである。
【０００５】
請求項３記載の発明は、上記した請求項１又は請求項２記載の目的に加え、次の点を目的とする。
すなわち、請求項３記載の発明は、ピンとグロメットとの連結を容易にできるようにしたものである。
【０００６】
【課題を解決するための手段】
本発明は、上記した目的を達成するためのものであり、以下にその内容を図面に示した実施例を用いて説明する。
請求項１記載の発明は、次の点を特徴とする。
すなわち、ファスナ(10)は、例えば図１，２に示すように、内装材(30)を保持し、治具（例えば硬貨）を使用して回転することで子供用シート(20)に着脱できるようにしている。
【０００７】
これに加えて、ファスナ(10)は、例えば図１，２に示すように、ピン(40)と、このピン(40)との間で内装材(30)を挟み持ち、子供用シート(20)に形成された非円形の取付孔(21)に取り付けられるグロメット(50)とから構成されている。
上記非円形としては、例えば図８に示すように、正方形の穴を例示したが、これに限らず、正方形を除く多角形や、或いは楕円形や長円形、さらには幾何学的形状の穴でも良い。
【０００８】
請求項２記載の発明は、上記した請求項１記載の発明の特徴に加え、次の点を特徴とする。
すなわち、治具が、図示しないが、硬貨である。
請求項３記載の発明は、上記した請求項１又は請求項２記載の発明の特徴に加え、次の３つの点を特徴する。
【０００９】
第１に、前記ピン(40)は、例えば図１，１０に示すように、頭部(60)と、この頭部(60)の表面に形成され、硬貨（図示せず）が差し込み可能な差込溝(61)と、前記頭部(60)の裏面中央から延び、前記内装材(30)を貫通する軸部(70)とを備えている。
上記硬貨としては、どのような硬貨を使用してもピン(40)を回転できるようにしているが、例えば北米で使用頻度が高く、又、サイズも大きな２５セント硬貨に合わせた溝幅としている。勿論、日本の硬貨も差し込めるし、硬貨だけでなく、身近にマイナスのドライバーがあれば、ドライバーを使用してもピン(40)を回転できる。
【００１０】
第２に、前記グロメット(50)は、例えば図１，７に示すように、子供用シート(20)の取付孔(21)の内径より大径に形成され、前記ピン(40)の頭部(60)の裏面との間で、前記内装材(30)を挟み持つ鍔部(80)と、この鍔部(80)の表面に開口し、前記ピン(40)の軸部(70)を挿入可能な挿入孔(90)と、前記鍔部(80)の裏面から延び、前記子供用シート(20)の取付孔(21)に挿入後、前記ピン(40)の差込溝(61)に差し込まれた硬貨（図示せず）で、ピン(40)が回転された際に、ピン(40)と一体的に回転し、前記取付孔(21)の裏面に引っ掛かる突縁部(102)を有する脚部(100)とを備えている。
【００１１】
第３に、前記ピン(40)の軸部(70)と、前記グロメット(50)の挿入孔(90)との間には、例えば図１，９，１０に示すように、前記ピン(40)の軸部(70)を前記グロメット(50)の挿入孔(90)内に挿入することで、互いにはまり合うとともに、前記挿入孔(90)中に軸部(70)を回転不能に保持する凹凸部（例えばピン40側の先細部72と、グロメット50側の爪部110）の一方が各々に形成されている。
【００１２】
上記凹凸部としては、例えば図１に示すように、凹部として例えば先細部(72)を、ピン(40)の軸部(70)の長さの途中に形成するとともに、前記先細部(72)に引っ掛かる凸部として例えば爪部(110)を、グロメット(50)の挿入孔(90)に形成したが、これに限らず、ピン(40)の軸部(70)側に凸部を形成し、グロメット(50)の挿入孔(90)側に凹部を形成しても良い。
【００１３】
つぎに、上記構成を備えた各請求項の作用について、以下に説明する。
請求項１記載の発明によれば、次のような作用を奏する。
すなわち、例えば図９，１０に示すように、ファスナ(10)を、治具（例えば硬貨）を使用して回転することで、ファスナ(10)を介して内装材(30)を子供用シート(20)に取り付ける。
【００１４】
これに対し、ファスナ(10)を、治具（例えば硬貨）を使用して再度、回転することで、内装材(30)を子供用シート(20)から取り外すことができる。
これに加えて、請求項１記載の発明によれば、次のような作用を奏する。
すなわち、例えば図９，１０に示すように、ピン(40)とグロメット(50)との間で、内装材(30)を挟み持つ。
【００１５】
この状態で、グロメット(50)を子供用シート(20)に形成された非円形の取付孔(21)に挿入し、治具（例えば硬貨）を使用して回転することで、例えば図９，１０に示すように、ピン(40)及びグロメット(50)を介して内装材(30)を子供用シート(20)に取り付ける。
これに対し、グロメット(50)を、治具（例えば硬貨）を使用して再度、回転することで、内装材(30)を子供用シート(20)から取り外すことができる。
【００１６】
請求項２記載の発明によれば、上記した請求項１記載の発明の作用に加え、次のような作用を奏する。
すなわち、治具として、図示しないが、硬貨を使用してファスナ(10)を回転できる。
請求項３記載の発明によれば、上記した請求項１又は請求項２記載の発明の作用に加え、次のような作用を奏する。
【００１７】
まず、ピン(40)の軸部(70)を、例えば図９，１０に示すように、内装材(30)の例えば貫通孔(31)に通し、グロメット(50)の挿入孔(90)に合わせて挿入する。
こうして、ピン(40)の軸部(70)を挿入すると、例えば図９，１０に示すように、グロメット(50)との間の凹凸部（例えばピン40側の先細部72と、グロメット50側の爪部110）が互いにはまり合い、ピン(40)の軸部(70)は、前記グロメット(50)の挿入孔(90)中に軸部(70)を回転不能に保持される。
【００１８】
また、内装材(30)は、例えば図９，１０に示すように、ピン(40)の頭部(60)の裏面と、グロメット(50)の鍔部(80)の表面との間で、表裏方向より挟み持たれる。
つぎに、グロメット(50)の脚部(100)を、子供用シート(20)の取付孔(21)に合わせて挿入する。
【００１９】
その後、ピン(40)の差込溝(61)に治具（例えば硬貨）を差し込み、ピン(40)を所定角度、例えば１／４回転する。
こうしてピン(40)を回転すると、その軸部(70)がグロメット(50)の挿入孔(90)中に軸部(70)を回転不能に保持されていることから、グロメット(50)も一体的に回転する。
【００２０】
そして、グロメット(50)の脚部(100)が、子供用シート(20)の取付孔(21)の裏面側で回転することで、その突縁部(102)が、例えば図８〜１０に示すように、子供用シート(20)の取付孔(21)の裏面に引っ掛かることで、グロメット(50)の脚部(100)が、子供用シート(20)の取付孔(21)から抜けなくなる。
なお、上記した取り付け手順では、グロメット(50)にピン(40)を装着した後、グロメット(50)を子供用シート(20)に取り付けたが、これに限らず、グロメット(50)を子供用シート(20)に先に取り付けた後、子供用シート(20)に取り付けたグロメット(50)にピン(40)を後から装着しても良い。
【００２１】
一方、子供用シート(20)から内装材(30)を取り外すには、ピン(40)の差込溝(61)に治具（例えば硬貨）を再度、差し込み、ピン(40)を所定角度、例えば１／４回転すればよい。
ピン(40)を回転すると、グロメット(50)の脚部(100)の突縁部(102)が、子供用シート(20)の取付孔(21)に整合するため、グロメット(50)の脚部(100)を子供用シート(20)の取付孔(21)から抜き取ることができる。
【００２２】
【発明の実施の形態】
図１〜１０は、本発明の一実施例を示すものである。
図１はファスナの分解断面図、図２はファスナの取付位置を示す分解斜視図、図３はピンの平面図、図４は図３の裏面図、図５はグロメットの側面図、図６は図５の平面図、図７は図５の裏面図、図８は子供用シートの取付孔とグロメットの脚部との関係を示す平面図、図９はファスナの取付状態を示す断面図、図１０は図９の他の断面図をそれぞれ示す。
【００２３】
図１，２中、10は、ファスナを示し、このファスナ10を使用して子供用シート20に内装材30を脱着可能に取り付ける。
上記子供用シート20は、例えばベビーカーや、自動車の座席に装着するチャイルドシート等に使用する。
（子供用シート）
上記子供用シート20のアームレストには、図２に示すように、ファスナ10を取り付けるための非円形、本実施例では正方形の取付孔21が形成されている。
【００２４】
なお、上記取付孔21は、正方形に限らず、正方形を除く多角形や、或いは楕円形や長円形、さらには幾何学的形状の穴でも良い。
（内装材）
また、内装材30は、図示しないが、内部に弾性に富むパットを有し、その表面が縫製されている。そして、子供用シート20のアームレストから取り外して、清掃できるようにしている。また、内装材30には、ファスナ10を取り付けるための円形の貫通孔31が形成されている。
【００２５】
なお、上記貫通孔31は、円形に限らず、内装材30の回転が可能で有れば、非円形、例えば多角形や、或いは楕円形や長円形、さらには幾何学的形状の穴でも良い。
（ファスナ）
前記ファスナ10は、図１，２に示すように、大別すると、ピン40と、このピン40との間で前記内装材30を挟み持ち、子供用シート20の取付孔21に取り付けられるグロメット50とを備えている。
（ファスナ：ピン）
前記ピン40は、図１〜４，１０に示すように、頭部60と、この頭部60の表面に形成され、治具としての硬貨（図示せず）が差し込み可能な差込溝61と、前記頭部60の裏面中央から延び、前記内装材30の貫通孔31に通る軸部70とを備えている。そして、ピン40は、熱可塑性樹脂、例えばＰＯＭで一体に形成されている。
【００２６】
上記頭部60は、図１〜４に示すように、円盤形に形成され、その外径が、内装材30の貫通孔31の内径より大きく設定されている。
そして、頭部60の表面には、図３，１０に示すように、その中心を横切るように、断面凹状に凹んだ差込溝61が形成されている。また、差込溝61の両側から外縁に向かって斜めに傾斜した左右一対の傾斜面62,62が形成されている。両傾斜面62は、内装材30の表面との間に段差を軽減するためのものである。
【００２７】
前記治具としては、身近な硬貨を例示したが、これに限らず、ドライバー等であっても良い。また、硬貨としては、どのような硬貨を使用してもピン40を回転できるようにしているが、例えば北米で使用頻度が高く、又、サイズも大きな２５セント硬貨に合わせた溝幅としている。勿論、日本の硬貨も差し込めるし、硬貨だけでなく、身近にマイナスのドライバーがあれば、ドライバーを使用してもピン40を回転できる。
【００２８】
一方、軸部70は、図１，４に示すように、頭部60の裏面の中央から延び、その断面形状が内装材30の貫通孔31に等しく、本実施例では断面長方形に形成されている。
上記軸部70は、図１に示すように、頭部60の裏面に連続する基部71と、この基部71の下端部から先細状に細くなった、凹部としての先細部72と、この先細部72の先端から矢尻形に太くなった先端膨出部73とを備えている。
（ファスナ：グロメット）
前記グロメット50は、図１，５〜７に示すように、鍔部80と、この鍔部80の表面に開口し、前記ピン40の軸部70を挿入可能な挿入孔90と、前記鍔部80の裏面から延び、前記子供用シート20の取付孔21に取り付けられる脚部100とを備えている。そして、グロメット50は、ピン40と同様に、適度な弾性と剛性とを有する熱可塑性樹脂、例えばＰＯＭで一体に形成されている。
【００２９】
上記鍔部80は、図１，５〜７に示すように、円盤形に形成され、その外径が、子供用シート20の取付孔21の内径より大きく設定されている。
前記挿入孔90は、図１，５〜７に示すように、鍔部80の中心を通るとともに、上下に貫通し、ピン40の軸部70の断面形状に適合した長方形状に形成されている。
【００３０】
そして、挿入孔90の下端部には、図１，６，７に示すように、挿入孔90内に互いに突出するとともに、ピン40の軸部70の先細部72にはまり込む、凸部としての一対の爪部110,110が形成されている。
なお、爪部110の数は、２個に限らず、３個以上形成しても良い。
一方、脚部100は、図１，５，７に示すように、全体が正方形の筒形を成し、その外径が子供用シート20の取付孔21より一回り小さく形成されている。
【００３１】
そして、脚部100の高さの途中には、図１，５，７に示すように、四方の角部を斜めに切り欠いた８角形の括れ部101を形成している。この括れ部101は、子供用シート20の取付孔21中で回転することで、図８に示すように、括れ部101より下方の脚部100の四方の角部が突縁部102・・・として、子供用シート20の裏面に引っ掛かるようにしている。
（取付方法）
つぎに、上記した構成を備えたファスナ10を使用して、子供用シート20に内装材30を取り付ける方法について説明する。
【００３２】
まず、ピン40の軸部70を、例えば図９，１０に示すように、内装材30の貫通孔31に通し、グロメット50の挿入孔90に合わせて挿入する。
ピン40の軸部70を挿入すると、その先端膨出部73が、グロメット50の挿入孔90内に突出する一対の爪部110に係合する。
ここで、ピン40の軸部70を強く挿入すると、グロメット50の一対の爪部110が、先端膨出部73に押されて、樹脂の弾性により互いに離隔する方向に撓む。そして、ピン40の先端膨出部73が、爪部110を通過すると、図９，１０に示すように、両爪部110がピン40の軸部70の長さの途中の括れた先細部72にパチンとはまり込む。
【００３３】
こうして、両爪部110がピン40の先細部72にはまり込むと、ピン40の先端膨出部73が両爪部110に引っ掛かって、ピン40の軸部70がグロメット50の挿入孔90から抜けなくなる。
また、このとき、内装材30は、図９，１０に示すように、ピン40の頭部60の裏面と、グロメット50の鍔部80の表面との間で、表裏方向より挟み持たれる。
【００３４】
さらに、ピン40の軸部70と、グロメット50の挿入孔90とが、非円形、本実施例では長方形状であることから、ピン40の軸部70は、グロメット50の挿入孔90内に回転不能に保持される。
つぎに、グロメット50の脚部100を、子供用シート20の取付孔21に合わせて挿入する。
【００３５】
その後、ピン40の差込溝61に硬貨（図示せず）を差し込み、ピン40を所定角度、例えば１／４回転する。
こうしてピン40を回転すると、その軸部70がグロメット50の挿入孔90中に軸部70を回転不能に保持されていることから、グロメット50も一体的に回転する。
そして、グロメット50の脚部100が、子供用シート20の取付孔21の裏面側で回転することで、その四方の突縁部102が、例えば図８〜１０に示すように、子供用シート20の取付孔21の裏面に引っ掛かることで、グロメット50の脚部100が、子供用シート20の取付孔21から抜けなくなる。
【００３６】
なお、上記した取り付け手順では、グロメット50にピン40を装着した後、グロメット50を子供用シート20に取り付けたが、これに限らず、グロメット50を子供用シート20に先に取り付けた後、子供用シート20に取り付けたグロメット50にピン40を後から装着しても良い。
（取り外し方法）
一方、子供用シート20から内装材30を取り外すには、ピン40の差込溝61に硬貨（図示せず）を再度、差し込み、ピン40を所定角度、例えば１／４回転すればよい。
【００３７】
ピン40を回転すると、グロメット50の脚部100の突縁部102が、子供用シート20の取付孔21に整合するため、グロメット50の脚部100を子供用シート20の取付孔21から抜き取ることができる。
その後、子供用シート20から取り外した内装材30を、清掃することができる。
清掃後は、前記した取付方法により、内装材30を、ファスナ10を介して、再度、子供用シート20に取り付けることができる。
【００３８】
【発明の効果】
本発明は、以上のように構成されているので、以下に記載されるような効果を奏する。
請求項１記載の発明によれば、次のような効果を奏する。
すなわち、請求項１記載の発明によれば、治具を使用して脱着を行うようにすることで、手等で不用意に内装材が子供用シートから外れてしまうのを防止することができる。
【００３９】
これに加えて、請求項１記載の発明によれば、ファスナをピンとグロメットとから構成することで、構造の比較的簡便なファスナを提供することができる。
請求項２記載の発明によれば、上記した請求項１記載の効果に加え、次のような効果を奏する。
すなわち、請求項２記載の発明によれば、治具として身近な硬貨を使用することができる。
【００４０】
請求項３記載の発明によれば、上記した請求項１又は請求項２記載の効果に加え、次のような効果を奏する。
すなわち、請求項３記載の発明によれば、ピンとグロメットとの連結を容易にすることができる。
【図面の簡単な説明】
【図１】ファスナの分解断面図である。
【図２】ファスナの取付位置を示す分解斜視図である。
【図３】ピンの平面図である。
【図４】図３の裏面図である。
【図５】グロメットの側面図である。
【図６】図５の平面図である。
【図７】図５の裏面図である。
【図８】子供用シートの取付孔とグロメットの脚部との関係を示す平面図である。
【図９】ファスナの取付状態を示す断面図である。
【図１０】図９の他の断面図である。
【符号の説明】
10  ファスナ    20  子供用シート
21  取付孔      30  内装材
31  貫通孔      40  ピン
50  グロメット  60  頭部
61  差込溝      62  傾斜部
70  軸部        71  基部
72  先細部      73  先端膨出部
80  鍔部        90  挿入孔
100  脚部       101  括れ部
102  突縁部
【図１】
0003559625.tif 000002
【図２】
0003559625.tif 000003
【図３】
0003559625.tif 000004
【図４】
0003559625.tif 000005
【図５】
0003559625.tif 000006
【図６】
0003559625.tif 000007
【図７】
0003559625.tif 000008
【図８】
0003559625.tif 000009
【図９】
0003559625.tif 000010
【図１０】
0003559625.tif 000011